(57)【要約】【課題】毛髪や埃、さらには臭いや雑菌もヘアドライヤーに吸い込まれるのを防止するようにする。【解決手段】ヘアドライヤー１は、筒状をなすドライヤー本体３の一端に空気吸込口７が設けられ、ドライヤー本体３の他端側に温風吹出口１１が設けられ、ドライヤー本体３の内部の空気流路に送風手段とヒータ部とが設けられている。外気を通過させるフィルタ３７が空気吸込口７に設けられているので毛髪の吸い込み防止となる。また、フィルタ３７はフィルタ保持部材３９で着脱自在であるので容易に交換される。また、フィルタ３７がハイドロキシアパタイトと光触媒との混合物を含浸させた光触媒フィルタでは、ハイドロキシアパタイトにより浮遊中の雑菌や有機系ガスや臭いの分子を強力に吸着し、この吸着物を光触媒により分解して無害化する。フィルタ３７を通過してドライヤー本体３の内部で温められる温風は清浄であり、人の健康を守る。【選択図】      図１
2005013596.tif 000002
【特許請求の範囲】
【請求項１】
筒状をなすドライヤー本体の一端に空気吸込口を設け、ドライヤー本体の他端側に温風吹出口を設け、ドライヤー本体の内部の空気流路に送風手段とヒータ部とを設けてなるヘアドライヤーにおいて、
外気を通過させるフィルタを前記空気吸込口の全体に設けると共に、前記フィルタを空気吸込口に装着するフィルタ保持部材で着脱自在に設けてなることを特徴とするヘアドライヤー。
【請求項２】
前記フィルタが、ハイドロキシアパタイトと光触媒との混合物を含浸させた光触媒フィルタであることを特徴とする請求項１記載のヘアドライヤー。
【請求項３】
前記フィルタが、高密度であることを特徴とする請求項１又は２記載のヘアドライヤー。
【請求項４】
前記空気吸込口が網状体で構成され、この網状体の外側を前記フィルタが覆う状態に装着されていることを特徴とする請求項１、２又は３記載のヘアドライヤー。
【発明の詳細な説明】
【０００１】
【発明の属する技術分野】
この発明は、ヘアドライヤーに関し、特に髪毛や埃がドライヤー本体内部に吸入されないように防止されたヘアドライヤーに関する。
【０００２】
【従来の技術】
従来のヘアドライヤーは、一般的に、略横向き筒状のヘアドライヤー本体の一端側に空気吸込口が設けられており、他端側に温風吹出口が設けられている。ヘアドライヤー本体の内部は上記の空気吸込口と温風吹出口との間で設けた空気流路に送風手段とヒータ部が具備されている。また、へアドライヤー本体には把手部が突設されている。このようなヘアドライヤーにあっては空気吸込口が毛髪で塞がれたり埃などが入ったりするために、例えば毛髪はヒータ部で燃えて焦げ臭くなることがある。
【０００３】
そこで、上記空気吸込口が把手部を突出する付根の近傍に配設されることにより、ヘアドライヤーを使用する時に把手部を持つ手が空気吸入口のすぐ下方に位置するので、自然に空気吸入口を手で防護して毛髪が空気吸入口を塞がないように防止している（例えば、特許文献１参照）。
【０００４】
また、他の例としては、上記と同様のヘアドライヤー本体の内部には異物混入防止用の格子が温風吹出口の近くに配設されており、この格子と送風手段との間には放射状に組み合わされた複数枚のヒータ基板からなるヒータブロックが配設されている。ヘアドライヤーが使用される時に前記格子と複数枚のヒータ基板との間に埃が堆積してしまうのを防ぐために、ヒータ基板の前端の一部に、格子との間に隙間を形成する切り欠きが設けられている（例えば、特許文献２参照）。
【０００５】
【特許文献１】
特開２００１−１４５５１３号公報
【０００６】
【特許文献２】
特開２０００−２１０１１８号公報
【０００７】
【発明が解決しようとする課題】
ところで、従来のヘアドライヤーにおいては、例えば前者は空気吸込口の位置を変えて使用時の手で空気吸入口を手で防護する工夫が行われているが、確実に毛髪が吸い込まれないようにすることは難しく、まして埃が吸い込まれないように防止することはできないという問題点があった。
【０００８】
後者においては、埃がヘアドライヤー本体の内部に堆積することを防止するものであって、埃がヘアドライヤー本体に吸い込まれないようにするという積極的なものではないので、前者と同様の問題点があった。
【０００９】
この発明は上述の課題を解決するためになされたもので、その目的は、毛髪や埃が吸い込まれないように防止し、さらには臭いや雑菌なども吸い込まれるのを防止するようにしたヘアドライヤーを提供することにある。
【００１０】
【課題を解決するための手段】
上記目的を達成するために請求項１によるこの発明のヘアドライヤーは、筒状をなすドライヤー本体の一端に空気吸込口を設け、ドライヤー本体の他端側に温風吹出口を設け、ドライヤー本体の内部の空気流路に送風手段とヒータ部とを設けてなるヘアドライヤーにおいて、
外気を通過させるフィルタを前記空気吸込口の全体に設けると共に、前記フィルタを空気吸込口に装着するフィルタ保持部材で着脱自在に設けてなることを特徴とするものである。
【００１１】
したがって、フィルタが空気吸込口に装着されたヘアドライヤーは、前記フィルタによって、毛髪がドライヤー本体の内部に吸い込まれないように確実に防止される。しかも、フィルタが空気吸込口に着脱自在であるので、通気性を有する繊維状体や不織布などの種々の材質のフィルタが容易に交換される。
【００１２】
請求項２によるこの発明のヘアドライヤーは、請求項１記載のヘアドライヤーにおいて、前記フィルタが、ハイドロキシアパタイトと光触媒との混合物を含浸させた光触媒フィルタであることを特徴とするものである。
【００１３】
したがって、フィルタがハイドロキシアパタイトと光触媒とを含んだ光触媒フィルタであるので、雑菌や有機系ガスや臭いの元となる浮遊中の分子がハイドロキシアパタイトによって強力に吸着され、この吸着物は光触媒により分解されて無害化される。フィルタを通過して空気吸入口からドライヤー本体の内部へ流れる空気は清浄であるので、人の毛髪や顔に吹きかけられる清浄な温風は人の健康を守るものとなる。
【００１４】
請求項３によるこの発明のヘアドライヤーは、請求項１又は２記載のヘアドライヤーにおいて、前記フィルタが、高密度であることを特徴とするものである。
【００１５】
したがって、フィルタが高密度フィルタであるので、ホコリ、花粉、煙草の煙などの粉塵が確実に集塵される。
【００１６】
請求項４によるこの発明のヘアドライヤーは、請求項１、２又は３記載のヘアドライヤーにおいて、前記空気吸込口が網状体で構成され、この網状体の外側を前記フィルタが覆う状態に装着されていることを特徴とするものである。
【００１７】
したがって、フィルタは空気吸込口に設けた網状体に安定した状態で当てられるので、外気が確実にフィルタを通過して空気吸込口からドライヤー本体の内部へ流れる。
【００１８】
【発明の実施の形態】
以下、この発明の実施の形態について図面を参照して説明する。
【００１９】
図１ないしは図３を参照するに、この実施の形態に係るヘアドライヤー１は、筒状をなすドライヤー本体３と、このドライヤー本体３の下部においてほぼ垂直方向に突設された把手部５とから構成されている。
【００２０】
ドライヤー本体３の図３において右側の一端には、外気を吸い込むための空気吸入口７が設けられており、ドライヤー本体３の図３において左側の他端側には開口９が設けられており、この開口９にはドライヤー本体３の内部で温められた温風を吹き出すための温風吹出口１１を備えたノズル１３が回転自在に設けられている。なお、ノズル１３は温風吹出口１１が先端に向かって絞るように略円筒形状をなしている。さらに、上記の空気吸入口７の全体には網状体としての例えば金網１５の格子が設けられている。この金網１５の外側には外気を清浄化するためのフィルタ部１７が設けられている。
【００２１】
ドライヤー本体３の内部は、フィルタ部１７を通過して空気吸入口７から吸入された空気が温風吹出口１１に向かって流れる空気流路１９が設けられている。この空気流路１９には、ドライヤー本体３にブラケット２１を介して取り付けられた回転駆動装置としてのモータ２３とこのモータ２３の回転軸に装着されたファン２５とからなる送風手段が上記の空気吸入口７の近くに設けられており、図３において左側には空気流路１９内を流れる空気を加熱するためのヒータ部２７が設けられている。このヒータ部２７は把手部５の内部に収納されたガスボンベの燃料ガスとしての例えばＬＰＧガスがガス燃焼器２９に供給され、このガス燃焼器２９内のＬＰＧガスを図示しない着火プラグにより点火して燃焼せしめるもので、燃焼ガス温度を制御するように構成されている。
【００２２】
また、ドライヤー本体３の下部には上記の着火プラグに電気を供給するための電源としての例えば電池が内蔵されている。さらに、ドライヤー本体３の下部には把手基部３１が突設されており、この把手基部３１に回転継手３３を介して把手部５が回転自在に設けられている。なお、把手部５の図３において左側には燃料ガスを供給せしめて上記の着火プラグに火花を飛ばすためのスイッチ３５が設けられている。
【００２３】
なお、ヒータ部２７としては、上記のようなガス燃焼器２９に限定されるものではなく、一般的な電気ヒータであっても構わない。
【００２４】
次に、この発明の実施の形態の主要部を構成するフィルタ部１７について説明すると、前述したドライヤー本体３の空気吸入口７に設けた金網１５の外側には金網１５の全体、換言すれば空気吸入口７の全体を覆うほどのフィルタ３７が当てられ、このフィルタ３７を保持固定するためのフィルタ保持部材としての例えばキャップ３９がドライヤー本体３に例えばネジ部４１で着脱自在に設けられている。
【００２５】
上記のキャップ３９は、図１及び図３に示されているように空気吸入用の開口部４３が設けられており、この開口部４３には上記のフィルタ３７を金網１５の面に押さえるための内側フランジ部４５が備えられている。なお、上記のキャップ３９は、この実施の形態ではポリカーボネイトの樹脂からなる。また、上記のキャップ３９の装着方法としては、上記のネジ部４１に限らず、例えばフック部と係止部とから構成されても、あるいは他の形態であっても構わない。
【００２６】
したがって、フィルタ３７が空気吸込口７に装着されているので、このフィルタ３７によって、毛髪やホコリがドライヤー本体３の内部に吸い込まれないように確実に防止される。さらに、フィルタ３７がキャップ３９によって空気吸込口７に着脱自在であるので、例えば通気性を有する繊維状体や不織布などの種々の材質のフィルタ３７に、あるいは効力が低下したフィルタ３７を新しいものに容易に交換可能となる。
【００２７】
なお、上記のフィルタ３７は、この実施の形態では高密度フィルタにハイドロキシアパタイトと光触媒との混合物を十分に含浸させた高機能な光触媒フィルタである。
【００２８】
高密度フィルタは、屋内に漂う微細なホコリ、花粉、煙草の煙などの粉塵をキャッチして集塵する機能を有する。また、ハイドロキシアパタイトは、臭いの元となる雑菌や有機系ガスを強力に吸着する機能を有する。さらに、光触媒は、ハイドロキシアパタイトにより高密度フィルタに吸着された雑菌や有機系ガスの分解を促進し、無害化と消臭を実現する機能を有する。つまり、上記のフィルタ３７は全体的にみると、集塵、吸着、分解・消臭を行う高機能な光触媒フィルタである。
【００２９】
より詳しく説明すると、光触媒とは、光のエネルギーを用いて働く触媒のことで、光エネルギーを化学エネルギーに変換、環境汚染物質や悪臭の除去、汚れの防止などに用いられる。光触媒としては例えば二酸化チタンがある。
【００３０】
光触媒に光（特に紫外線）が当たると、光触媒の表面から電子が抜け出し、この電子が抜けた穴（正孔）は＋の電荷を帯びている。この正孔は水中にある水酸化物イオン（ＯＨ−）などから電子を奪うので、電子を奪われた水酸化物イオンは非常に不安定な状態のＯＨラジカルになる。このＯＨラジカルが自分自身の安定化を図ろうとし且つ強力な酸化力を持つために近くの有機物から電子を奪ってしまう。したがって、電子を奪われた有機物は結合を分解され、最終的には二酸化炭素や水となり、大気中に発散することになる。
【００３１】
例えば、光触媒によって、煙草の煙に含まれる有害ガスとしてのホルムアルデヒドは分解促進され、アセトアルデヒドも分解促進され、一酸化炭素は二酸化炭素へ分解され、無害化される。
【００３２】
したがって、この実施の形態のフィルタ３７は、空気中に漂っている雑菌類を強力に吸着するハイドロキシアパタイトの吸着力と、上記の光触媒の機能との相乗効果と、これに高密度フィルタの機能が加わって前述したような高機能フィルタとなっている。しかも、高密度フィルタには十分量のハイドロキシアパタイトと光触媒が含浸されているので、確実な効果が持続して長持ちする。
【００３３】
ちなみに、従来のフィルタとしては、例えば活性炭フィルタ、ヘパフィルタ、従来の光触媒フィルタがある。これらの従来のフィルタと比較すると、この実施の形態のフィルタ３７の効果がより明確になるので、従来の各フィルタについて下記に記載する。
【００３４】
活性炭フィルタは、臭いの元となる分子を吸着することにより脱臭するが、吸着できる分子の量に限界がある。また、飽和点に達すると、それ以上は吸着できないために、実際の脱臭効果は１週間程度しか持続しないものである。
【００３５】
ヘパフィルタは、屋内に漂っているホコリや塵をフィルタにひっかけて除去するものであるので、フィルタの目を細かくすれば、多くのホコリを除去することが可能であるが、空気自体の通気性が悪くなる。また、臭いの元となる分子を吸着する能力はない。つまり、ホコリに対しては有効ではあるものの脱臭効果はないフィルタである。
【００３６】
従来の光触媒フィルタは、臭いや汚れの分子を分解して元から無くすものである。しかし、光触媒に触れて留まった分子に対しては有効であるが、浮遊中の分子には効かないものであった。また、従来の光触媒フィルタでは、光触媒の含浸量が少ないために期待通りの効果は発揮できない、つまり効果が持続しないものであった。
【００３７】
したがって、この優れた機能を有するフィルタ３７が装着されたヘアドライヤー１は、フィルタ３７によって、毛髪がドライヤー本体３の内部に吸い込まれないように防止されるだけでなく、ホコリ、花粉、煙草の煙などの粉塵が集塵され、さらに雑菌や有機系ガスや臭いの元となる浮遊中の分子が強力に吸着され、これらの集塵・吸着されたものは光触媒により分解されて無害化されるので、フィルタ３７を通過して空気吸入口７からドライヤー本体３の空気流路１９を流れる空気は清浄であり、人の毛髪や顔に吹きかけられる清浄な温風は人の健康を守るものとなる。
【００３８】
なお、フィルタ３７は、高密度でなくてもハイドロキシアパタイトと光触媒との混合物を十分に含浸させた光触媒フィルタであれば、高密度フィルタによる前述したような機能がないとしても、ハイドロキシアパタイトと光触媒の機能を発揮するものであるので有効である。
【００３９】
なお、この発明は前述した実施の形態に限定されることなく、適宜な変更を行うことによりその他の態様で実施し得るものである。
【００４０】
【発明の効果】
以上のごとき発明の実施の形態の説明から理解されるように、請求項１の発明によれば、ヘアドライヤーの空気吸込口にフィルタを装着したので、このフィルタによって、毛髪がドライヤー本体の内部に吸い込まれないように確実に防止できる。しかも、フィルタが空気吸込口に着脱自在であるので、通気性を有する繊維状体や不織布などの種々の材質のフィルタを容易に交換できる。
【００４１】
請求項２の発明によれば、フィルタをハイドロキシアパタイトと光触媒とを含んだ光触媒フィルタとすることにより、ハイドロキシアパタイトによって雑菌や有機系ガスや臭いの元となる浮遊中の分子を強力に吸着でき、この吸着物を光触媒により分解して無害化できる。その結果、フィルタを通過して空気吸入口からドライヤー本体の内部へ流れる空気は清浄であるので、人の毛髪や顔に吹きかけられる温風を清浄にでき、しかも人の健康を守るものとなる。
【００４２】
請求項３の発明によれば、高密度フィルタによりホコリ、花粉、煙草の煙などの粉塵を確実に集塵できる。
【００４３】
請求項４の発明によれば、空気吸込口に設けた網状体にフィルタを安定した状態で当てることができるので、外気が確実にフィルタを通過して空気吸込口からドライヤー本体の内部へ流れるようにできる。
【図面の簡単な説明】
【図１】この発明の実施の形態のヘアドライヤーにおけるフィルタ部の分解斜視図である。
【図２】この発明の実施の形態のヘアドライヤーの斜視図である。
【図３】この発明の実施の形態のヘアドライヤーの内部を示す要部断面図である。
【符号の説明】
１  ヘアドライヤー
３  ドライヤー本体
５  把手部
７  空気吸入口
９  開口
１１  温風吹出口
１３  ノズル
１５  金網（網条体）
１７  フィルタ部
１９  空気流路
２１  ブラケット
２３  モータ
２５  ファン
２７  ヒータ部
２９  ガス燃焼器
３１  把手基部
３３  回転継手
３５  スイッチ
３７  フィルタ
３９  キャップ（フィルタ保持部材）
４１  ネジ部
４３  開口部
４５  内側フランジ部
【図１】
2005013596.tif 000003
【図２】
2005013596.tif 000004
【図３】
2005013596.tif 000005